(57)【要約】 【課題】隙間を規定するように間隔を空けて配置された一対の硬質シート部材に装着した外側ライナーを持つハードカバー製品。一つの硬質シート部材がセキュリティータグを収容する収容区画を規定する。内側ライナーが、該一対の硬質シート部材の上に重なり、該セキュリティー・タグ収容区画内にある該セキュリティー・タグを隠すように取り付けられている。前記一対の硬質シート部材の間の間隙が前記ハードカバー製品の背を規定し、それによって前記向かい合う硬質シートカバー部材が、折り畳むように協働して移動する表カバーと裏カバーを規定する。前記ハードカバー製品は、一次的なシートが、第一の厚さ、及び向かい合う平坦な表面を有し、該シートの選択された部分にセキュリティー装置を収容する開口を規定する中間体のラミネートされたカバーボードから作製できる。  一対の向かい合う二次的なシートが、前記一次的なシートの向かい合う平坦な表面にラミネートされて前記セキュリティー装置を封入する。【解決手段】前記中間体のラミネートされたカバーボードの製造方法が開示されている。前記ハードカバー製品は背部分にセキュリティー装置を収容する隙間を規定する。【選択図】図３
2007534522.tif 000002
【特許請求の範囲】
【請求項１】
ハードカバー製品であって、
外側ライナーと、
隙間を規定するように間隔を空けて配置され、該外側ライナーの主たる表面に装着した一対の硬質シート部材であって、その１つが収容区画を規定する硬質シート部材と、
該収容区画内に収容されたセキュリティー・タグと、
該一対の硬質シート部材の上に重なり、該セキュリティー・タグ収容区画内にある該セキュリティー・タグを隠すように取り付けられた内側ライナーと
を含み、前記一対の硬質シート部材の間の間隙が前記ハードカバー製品の背を規定し、それによって前記向かい合う硬質シートカバー部材が、折り畳むように協働して移動するおもてカバーと裏カバーを規定する、ハードカバー製品。
【請求項２】
前記外側ライナーが、該外側ライナーの外側表面の一部分において表示されるコード化された表示物をさらに規定する請求項１記載のハードカバー製品。
【請求項３】
前記収容区画が、前記外側ライナーの外側表面の前記コード化された表示物と実質的に同一直線上にある請求項２記載のハードカバー製品。
【請求項４】
前記収容区画が、前記硬質シート部材のうちの一方に規定される溝である請求項１記載のハードカバー製品。
【請求項５】
前記溝が、前記セキュリティー・タグが前記内側ライナーに取り付けられた主たる表面に対し凹んだ状態となる程の深さを有する請求項４記載のハードカバー製品。
【請求項６】
前記セキュリティー・タグが、シート状の電子的応答装置である請求項１記載のハードカバー製品。
【請求項７】
前記外側ライナーが、グラフィック画像を含む外側表面を有する請求項１記載のハードカバー製品。
【請求項８】
前記外側ライナーの周囲部分が、前記一対のシート部材の横方向の外側端部上に重なり、それに取り付けられた請求項１記載のハードカバー製品。
【請求項９】
前記背部に取り付けられた内部体をさらに含む請求項１記載のハードカバー製品。
【請求項１０】
前記内部体が、ディスクを収容するように配置されたシェルを含む請求項１記載のハードカバー製品。
【請求項１１】
前記内部体が、ルーズ・リーフ書籍を規定する複数のページを含む請求項１記載のハードカバー製品。
【請求項１２】
前記内部体が、シートを収容するリング状の部材を含む請求項１記載のハードカバー製品。
【請求項１３】
ハードカバー製品であって、
グラフィックス画像とコード化された表示物を含む外側表面を有する外側ライナーと、
隙間を規定するように間隔を空けて配置され、該外側ライナーの内側表面に装着した一対の硬質シート部材であって、該外側ライナーの周囲部分が、該一対の硬質シート部材の横方向の外側端部上に重なり、そのうちの一方が、該外側ライナーの外側表面の該コード化された表示物と実質的に同一直線上にある開口した溝を規定する硬質シート部材と、
該溝内に収容されたセキュリティー・タグであって、前記溝は、該セキュリティー・タグが該硬質シート部材の１つの主たる表面に対し凹んだ状態となる程の深さを有するセキュリティー・タグと、
前記一対の硬質シート部材の上に重なって、該溝内の該セキュリティー・タグを隠す内側ライナーとを含み、
前記一対の硬質シート部材の間の間隙が、前記ハードカバー製品の背中部を規定するハードカバー製品。
【請求項１４】
前記背中部に取り付けられた内部体をさらに含む請求項１３記載のハードカバー製品。
【請求項１５】
前記内部体が、ディスクを収容できるような向かい合わせで噛み合わさってはめ込むシェルからなり、該シェルのそれぞれが、前記表と裏カバーの各内側表面に取り付けられた請求項１４記載のハードカバー製品。
【請求項１６】
前記内部体が、ルーズ・リーフ書籍を規定する複数のページを含む請求項１４記載のハードカバー製品。
【請求項１７】
前記内部体が、シートを収容するリング状の部材を含む請求項１４記載のハードカバー製品。
【請求項１８】
(a)第一のシートに凹部を形成する工程と、
(b)該第一のシートの主たる表面と、該表面との間に間隙が規定されるように間隔を空けて配置された第二のシートに外側ライナーを取り付ける工程であって、前記第１のシートと第２のシートがそれぞれおもてカバー及び裏カバーを規定する工程と、
(c)前記凹部にセキュリティー・タグを配置する工程と、
(d)前記第一のシートと前記第二のシートに重なる形で内側ライナーを取り付ける工程であって、前記間隙は、前記対向するおもてカバーと裏カバーが、該間隙上で互いに向かって回転する背を規定する工程
を含む該ハードカバー製品の製造方法。
【請求項１９】
前記背に内部体を取り付ける工程(e)をさらに含む請求項１８記載の方法。
【請求項２０】
ハードカバー製品のための中間体のラミネートされたカバーボードであって、
第一の厚さ、及び向かい合う平坦な表面を有する一次的なシートであって、該シートの選択された部分に収容空洞を規定する一次的なシートと、
該収容空洞に収容されたセキュリティー装置と、
それぞれが該第一の厚さよりも薄い第二の厚さを有する一対の向かい合う二次的なシートであって、該一次的なシートの向かい合う平坦な表面にラミネートされた一対の向かい合う二次的なシートとから成り、
これにより、前記セキュリティー装置が十分な前記第二の厚さを有するラミネートされた前記二次的なシートの間に封入され、該セキュリティー装置がそこに存在することの跡が表面に現れない、組立てられた中間体のラミネートされたカバーボード。
【請求項２１】
前記セキュリティー装置が、前記一次的なシートの大部分における厚さを超えない厚さを有する請求項２０記載の中間体のラミネートされたカバーボード。
【請求項２２】
前記セキュリティー装置が、前記収容空洞内に配置されており、その反対側の表面が前記一次的なシートの平坦な表面と実質的に同一平面となっている請求項２０記載の中間体のラミネートされたカバーボード。
【請求項２３】
前記一次的なシート及び二次的なシートが、可撓性のある素材で形成されている請求項２０記載の中間体のラミネートされたカバーボード。
【請求項２４】
前記可撓性のある素材が、チップボードである請求項２３記載の中間体のラミネートされたカバーボード。
【請求項２５】
前記可撓性のある素材が、ボール紙である請求項２３記載の中間体のラミネートされたカバーボード。
【請求項２６】
前記収容空洞が、ダイカッティングによる開口部からなり、前記セキュリティー装置が、前記一次的なシートの大部分における厚さを超えない厚さを有する請求項２０記載の中間体のラミネートされたカバーボード。
【請求項２７】
前記セキュリティー装置が、前記開口部内に配置されており、その向かい合う外側の表面が前記一次的なシートの平坦な表面と実質的に同一平面となっている請求項２６記載の中間体のラミネートされたカバーボード。
【請求項２８】
前記収容空洞が、デボス加工された凹部を含み、前記セキュリティー装置が、前記一次的なシートの大部分における平坦な部分に対して、該デボス加工された凹部の大部分における深さを超えない厚さを有するシート部材を含むから請求項２０記載の中間体のラミネートされたカバーボード。
【請求項２９】
前記セキュリティー装置が、前記デボス加工された凹部内に配置されており、その外側の表面が前記一次的なシートの平坦な表面と実質的に同一平面となっている請求項２８記載の中間体のラミネートされたカバーボード。
【請求項３０】
ハードカバー製品の組立てのための中間体のラミネートされたカバーボードであって、
向かい合う平坦な表面を有し、第一の厚さを超える長さと幅と一体である中央シートであって、該中央シートの選択された箇所を貫通する開口部を規定する中央シートと、
該開口部に収容されるセキュリティー装置であって、該セキュリティー装置が、前記中央シートの大部分における厚さを超えない厚さを有し、その向き合った側面が該中央シートの向き合った平坦な表面のそれぞれと実質的に同一平面を成すような該セキュリティー装置と、
一対の向き合った外部シートで、それぞれが該第一の厚さよりも薄い第二の厚さを有し、該中央シートの向かい合う平坦な表面にラミネートされたものであり、それによって該セキュリティー装置を間に封入し、該第二の厚さが十分な寸法であるため該ラミネートされたボードがその中の該セキュリティー装置の存在を示す跡を表面に現さないような、該一対の向き合った外部シートを含む該中間体のラミネートされたカバーボードで、
それにより該中央シートに封入された該セキュリティー装置が、その存在を示す表面の跡から隠されている該中間体のラミネートされたカバーボード。
【請求項３１】
前記中央シートと、前記外部シートが、半硬質材で作られた請求項３０記載の中間体のラミネートされたカバーボード。
【請求項３２】
前記半硬質材が、チップボードである請求項２１記載の中間体のラミネートされたカバーボード。
【請求項３３】
前記半硬質材が、ボール紙である請求項３１記載の中間体のラミネートされたカバーボード。
【請求項３４】
後にハードカバー製品の構成要素として使用する、中間体のラミネートされたカバーボードを組立てる方法で、
(a)向かい合う平坦な表面を有し、第一の厚さを超える長さと幅を持つ一次的なシートで、該一次的なシートの選択された部分を貫通する開口部を規定する該一次的なシートを提供する工程と、
(b)第一の外部シートを、第一の該向かい合う平坦な表面にラミネートして、前記一次的なシートの前記開口部を閉じる工程と、
(c)セキュリティー装置であって、該中央シートの大部分における厚さを超えない厚さを有し、その向き合った側面が該中央シートの向き合った平坦な表面のそれぞれと実質的に同一平面の域を出ないようなセキュリティー装置を、該開口部に設置する工程と、
(d)第二の外部シートを、第二の向かい合う平坦な表面にラミネートし、中の該セキュリティー装置の存在を示す跡が該外部シートにより規定される前記向かい合う表面上に現れない中間体のラミネートされたボードを形成する工程、
を含む中間体のラミネートされたカバーボードを組立てる方法。
【請求項３５】
間隔を空けて配置された一対のカバーボードのうちの第一の平坦な表面に接着剤で取り付けられた外部カバーシートと、請求項３４記載の方法により作成された中間体のラミネートされたボードからなる一対のカバーボードのうちの第一のカバーボードと、カバーされた製品を形成する該カバーボードのそれぞれ向き合う第二の平坦な表面に接着剤で取り付けられた内側ライナーシートを有するハードカバー製品。
【請求項３６】
前記外部カバーシートが、前記一次的なシートの前記選択された箇所の同一直線上に配置された表示物を持ち、そのことによりセキュリティー解除装置が容易に前記隠されたセキュリティー装置の同一直線上に配置される請求項３５記載のハードカバー製品。
【請求項３７】
間隔をあけて配置された一対のカバーボードのうちの１つを用いてハードカバー製品を形成するために用いる請求項３４記載の方法に従って作製される中間体のラミネートされたカバーボード。
【請求項３８】
ハードカバー製品であって、
外側ライナーと、
向かい合うカバーボードを規定すると同時にハードカバー製品の背中部を規定するように間隔を空けて配置され、該外側ライナーの主たる表面に対して反対側の主たる表面に取り付けられた一対のカバーボードを含み、
少なくとも該カバーボードの１つが、
向かい合う平坦な表面を有し、第一の厚さを超える長さと幅をもつ中央シートで、該中央シートがその選択された箇所を貫通する開口部を規定する中央シートと、
該開口部に収容されるセキュリティー装置であって、該中央シートの大部分における厚さを超えない厚さを有し、その向き合った側面が該中央シートの向き合った平坦な表面のそれぞれと実質的に同一平面を成すような該セキュリティー装置と、
一対の向き合った外部シートであって、それぞれが該第一の厚さよりも薄い第二の厚さを有し、該中央シートの向かい合う平坦な表面にラミネートされたものであり、それによって該セキュリティー装置を間に封入し、該第二の厚さが十分な寸法であるため該ラミネートされたボードがその中の該セキュリティー装置の存在を示す跡を表面に現さないような、該一対の向き合った外部シートと、
それにより該中央シートに封入された該セキュリティー装置が、その存在を示す表面の跡から隠されており、
前記カバーボードの前記向かい合う平坦な表面に対して上に重なるように取り付けられた内側ライナーを含む該ハードカバー製品であって、
それにより該向かい合うカバーボードが、該ハードカバー製品の背中部の向かい合う側面により規定される線に沿って相互に折り畳むように動く表と裏のカバーを規定する該ハードカバー製品。
【請求項３９】
前記外側ライナーが、前記中央シートの前記選択された箇所の同一線上の部分に表示されるコード化された表示物を規定する請求項３８記載のハードカバー製品。
【請求項４０】
前記セキュリティー・タグが、シート状の電子的な応答性を有する装置である請求項３８記載のハードカバー製品。
【請求項４１】
請求項３８記載のハードカバー製品であって、さらに前記背中部に取り付けられた内部体を含む請求項３８記載のハードカバー製品。
【請求項４２】
前記内部体が、ディスクを収容するように配置されたシェルを含む請求項４１記載のハードカバー製品。
【請求項４３】
前記内部体が、書籍を規定するために一方の側をそろえて結合した複数のページを含む請求項４１記載のハードカバー製品。
【請求項４４】
前記内部体が、シートを収容するリング状の部材を含む請求項４１記載のハードカバー製品。
【請求項４５】
ハードカバー製品のための中間体のカバーボードであって、
一次的なシートであって、第一の厚さと向かい合う平坦な平面を有し、該シートの選択された箇所にある収容空洞を規定する該一次的なシートと、
該収容空洞内に収容されたセキュリティー装置から成り、
それによって、該セキュリティー装置が該一次的なシートの該空洞に配置され、該空洞はハードカバー製品の生産過程でカバーライナーにより上張りされることになる該ハードカバー製品のための中間体のカバーボード。
【請求項４６】
さらに、少なくとも一つの二次的なシートであって、前記第一の厚さよりも薄い第二の厚さを有し、前記一次的なシートの向かい合う平坦な表面の一つにラミネートされた二次的なシートから成り、
それによって、該ラミネートされた二次的なシートに一方の側面を上張りされた該カバーボードが、中の前記セキュリティー装置の存在を示す跡が表面に現れなくなる請求項４５記載の中間体のカバーボード。
【請求項４７】
前記一次的なシートと二次的なシートが、半硬質材で作られた請求項４５記載の中間体のカバーボード。
【請求項４８】
前記半硬質材が、チップボードである請求項４７記載の中間体のカバーボード。
【請求項４９】
前記半硬質材が、ボール紙である請求項４７記載の中間体のカバーボード。
【請求項５０】
前記収容空洞が、ダイカッティングによる開口部からなり、前記セキュリティー装置が、前記一次的なシートの大部分におけるおおよそ厚さを超えない厚さを有する請求項４５記載の中間体のラミネートされたカバーボード。
【請求項５１】
前記セキュリティー装置が、前記開口部内に配置されており、その向かい合う外側の表面が前記一次的なシートの平坦な表面と実質的に同一平面となっている請求項５０記載の中間体のラミネートされたカバーボード。
【請求項５２】
前記収容空洞が、デボス加工された凹部から成り、前記セキュリティー装置が、前記一次的なシートの大部分における平坦な部分に対して、該デボス加工された凹部の大部分における深さを超えない厚さを有するシート部材を含む請求項４５記載の中間体のラミネートされたカバーボード。
【請求項５３】
前記セキュリティー装置が、前記デボス加工された凹部内に配置されており、その外側の表面が前記一次的なシートの平坦な表面と実質的に同一平面となっている請求項５２記載の中間体のラミネートされたカバーボード。
【請求項５４】
請求項５２記載の中間体のカバーボードであって、さらに、少なくとも一つの二次的なシートであって、前記第一の厚さよりも薄い第二の厚さを有し、前記一次的なシートの向かい合う平坦な表面の一つにラミネートされた外二次的なシートを含み、
それによって、該ラミネートされた二次的なシートに一方の側面を上張りされた該カバーボードが、中の前記セキュリティー装置の存在を示す跡が表面に現れなくなる請求項５２記載の中間体のカバーボード。
【請求項５５】
前記一次的なシートと二次的なシートが、半硬質材で作られた請求項５４記載の中間体のカバーボード。
【請求項５６】
前記半硬質材が、チップボードである請求項５５記載の中間体のカバーボード。
【請求項５７】
前記半硬質材が、ボール紙である請求項５５記載の中間体のカバーボード。
【請求項５８】
前記一次的なシートが、半硬質材で作られた請求項４５記載の中間体のカバーボード。
【請求項５９】
前記半硬質材が、チップボードである請求項５８記載の中間体のカバーボード。
【請求項６０】
前記半硬質材が、ボール紙である請求項５８記載の中間体のカバーボード。
【請求項６１】
外側ライナーと、
一対のハードシート部材であって、該外側ライナーの主たる表面に取り付けられ、かつ間に背中部分を規定するように間隔をあけた形で配置されており、該外側ライナーの縁に沿って該一対のハードシート部材が相互に折り畳むように動くことができる該一対のハードシート部材と、
該背中部分内に取り付けられたセキュリティー・タグと、
該ハードシート部材に取り付けられた本体部分から成り、
遠隔認識装置と応答する該セキュリティー・タグにより、該ハードカバー製品を追跡するための該ハードカバー書籍製品。
【請求項６２】
前記間隔の空いた部材の間の前記背中部分で前記外側ライナーに取り付けられ、かつ、前記ハードシート部材のそれぞれと該背中部部材の縁側面との間にある横方面の隙間により規定される背中部部材を含む請求項６１記載のハードカバー製品。
【請求項６３】
前記セキュリティー・タグが、前記外側ライナーと前記背中部部材との間の前記背中部分に取り付けられている請求項６２記載のハードカバー製品。
【請求項６４】
前記セキュリティー・タグが、前記背中部部材と前記本体との間の前記背中部分に取り付けられている請求項６２記載のハードカバー製品。
【請求項６５】
前記一対のハードシート部材、及び前記背中部分内に前記セキュリティー・タグを隠している前記背中部部材の上に重なって取り付けられた内側ライナーをさらに含む請求項６２記載のハードカバー製品。
【請求項６６】
前記外側ライナーが、該外側ライナーの外側表面の一部分において表示されるコード化された表示物を規定する請求項６１記載のハードカバー製品。
【請求項６７】
前記セキュリティー・タグが、前記コード化された表示物と実質的に同一直線上に配置された請求項６１記載のハードカバー製品。
【請求項６８】
前記セキュリティー・タグが、シート状の電子的な応答性を有する装置である請求項６１記載のハードカバー製品。
【請求項６９】
前記内部体が、ディスクを収容するように配置されたシェルを含む請求項６１記載のハードカバー製品。
【請求項７０】
前記内部体が、ルーズ・リーフ書籍を規定する複数のページを含む請求項６１記載のハードカバー製品。
【請求項７１】
前記内部体が、シートを収容するリング状の部材を含む請求項６１記載のハードカバー製品。
【請求項７２】
グラフィックス画像とコード化された表示物を含む外側表面を有する外側ライナーと、
間の隙間が背中部分を規定するように間隔を空けて配置され、該外側ライナーの内側表面に装着した該硬質シート部材で、該外側ライナーの周囲部分が、該一対の硬質シート部材の横方向の外側端部上に重なった該一対の硬質シート部材と、
該背中部分内に取り付けられたセキュリティー・タグと、
該一対の硬質シート部材の上に重なって、該溝内の該セキュリティー・タグを隠す内側ライナーと、
表と裏カバーを規定するように相互に折り畳まれる該主要なシート部材により規定される空間内に収容される本体から成り、
それによって、該ハードカバー書籍製品が、該セキュリティー・タグの信号に対する応答を感知する遠隔認識装置により追跡可能と成る該ハードカバー書籍製品。
【請求項７３】
前記本体が、ディスクを収容できるような向かい合わせで噛み合わさってはめ込むシェルからなり、該シェルのそれぞれが、前記表と裏カバーの各内側表面に取り付けられた請求項７２記載のハードカバー製品。
【請求項７４】
前記本体が、ルーズ・リーフ書籍を規定する複数のページを含む請求項７２記載のハードカバー製品。
【請求項７５】
前記本体が、シートを収容するリング状の部材を含む請求項７２記載のハードカバー製品
【請求項７６】
(a)  第一のカバーシートの主たる表面と、それとの間の隙間に背中部分を規定するように間隔を置いて配置された第二のカバーシートであって、該第一のカバーシートと第二のカバーシートが、それぞれ該第一と第二のカバーシートの内側の縁により規定される線に沿って、該内側ライナーの上でお互いに向かって折れ曲がることができる該第一のカバーシートと該第二のカバーシートに対して外側ライナーを取り付ける工程と
(b)  該背中部分にセキュリティー・タグを取り付ける工程と、
該第一と第二のカバーシートに対し、上に重ねる形で内部体を取り付ける工程、
を含むハードカバー製品の製造方法。
【請求項７７】
ハードカバー製品のための中間体のボードの製造方法であって、
(a)  シート材である第一のレイヤーの連続的な供給を提供する工程と、
(b)  該シート材の第一の表面上の選択された箇所にセキュリティー装置を取り付ける工程と、
(c)  該シート材の反対側である第二の表面上に、該セキュリティー装置と同一線上の位置に表示マークを貼り付ける工程と、
(d)  該第一の表面に粘着材を塗布する工程と、
(e)  シート材である第二のレイヤーの連続的な供給を、該第一のレイヤーの該第一の表面に対して上に重ねる形で提供する工程と、
(f)  該セキュリティー装置を第一と第二のレイヤーがその間に挟むように第一と第二のレイヤーをラミネートする工程と、
(g)  シート材である該第一と第二のレイヤーの連続的な供給から、それぞれが少なくとも一つのセキュリティー装置を含む個々のボードを切り取る工程、
を含む該中間体のボードの製造方法。
【発明の詳細な説明】
【技術分野】
【０００１】
本発明は、ハードカバー製品に関する。特に、本発明はハードカバー製品の製造及び利用を容易化するための、隠されたセキュリティー装置付きハードカバー製品、該ハードカバー製品の中間製品であるライナー、及びセキュリティー装置を隠し持つ背中部を有する書籍製品とそれらのハードカバー書籍製品の製造に関する。
【背景技術】
【０００２】
近年、商品の在庫のトラッキングが重要化してきている。商品の在庫は重要な資本の投資を示す。コスト的要因に加えて、盗難防止や在庫品の検証や精算、及び生産者が商品を生産する直前に原材料の提供を受けることができるジャストインタイム生産への需要の高まりが、在庫トラッキングへの関心を増加させている。
【０００３】
商品やその容器のトラッキングやモニタリングのために、種々の電子装置や機械装置が提供されている。これらの装置には音波による磁気性のセキュリティー・ストリップや、ラジオ周期波セキュリティー・タグが含まれる。これらの装置は多くの場合タグ、ポッド、ラベルやパッチ等の形態を有し、商品や、その商品の容器に取り付けるために粘着性の表面を有する。これらの装置は、商品や、その商品の容器のトラッキングやモニタリングを容易にする。セキュリティー装置は、典型として特に倉庫や庫売店からの荷抜きや不正な取り除きに遭いやすい品目に取り付けられる。これらのセキュリティー装置には認識可能なセンサーが含まれている。ある公知の種類のセキュリティー・タグには、事前に設定された認識周波数レンジで共鳴する回路を持つ。トランスミッターが前記回路を刺激する電磁気エネルギーを提供する。そしてレシーバーが前記共鳴する回路から発せられる前記外部シグナルを検出する。前記トランスミッターと前記レシーバーは検出場所に設置されており、多くの場合は小売施設から出ている。その商品が前記検出場所を通過する際に、作動したセンサー装置が検出されて前記レシーバーが警報を信号する。検出場所を通過することが許可されている商品（購入された商品など）については、通過に先立って別の装置を用いることで前記検出センサーを作動できなくする。その他の装置としてはデジタル信号を介して伝達するRFID装置が含まれる。ある公知のRFID装置では、前記信号が、特定の容器をトラッキングするために個々の識別子を表示する。
【０００４】
多くの場合、大型の店舗は、商品の生産者に対し、商品の容器内にトラッキングとモニタリングの装置が内蔵されていることを要求してくる。そして小型店舗や小型卸業者については、追跡とモニタリングの装置は内蔵されず、又は取り付けられてなくてもよい。このような事情の下では、商品がアフターマーケットのトラッキング及びモニタリングの装置と共に提供されることが可能である。例えば、商品の電子的な調査用のタグは、粘着性の裏面によりタグを容器に固定して利用される。該容器はこれによって商品の電子的な調査を受けることになるが、粘着により取り付けられた前記タグは、その使用を通して問題を経験する。重要な問題の一つとして、前記容器の外側にある前記タグは剥がれ易いことがある。該セキュリティー・タグの剥離は警備を回避して、安全な区域から商品の無許可の持ち出しを促すこととなる。一方で、商品を購入した者による剥離も問題を生じる。前記セキュリティー・タグが取り付けられた商品のカバーは引き裂かれたり、破られたりするかもしれず、従って商品の包装を破損することになる。
【０００５】
さらに、前記セキュリティー・タグ付きの包装や、又は剥離によりセキュリティー・タグが無い包装は、消費者の目に目障りなものを作り出してしまう。また前記セキュリティー・タグは包装の装飾用のグラフィックスや文字を覆たり包み隠してしまうかもしれない。これによって、前記セキュリティー装置は印刷されたグラフィックスや他のタイプの商品カバーを干渉して、印刷やスタンプによるデザインが商品の市場性を促進する効果を妨げたり、もみ消したりしてしまう。
【０００６】
また、重要なことに、組み立て段階におけるアセンブリへの電子セキュリティー・タグの取り付けは、その生産や取扱い上の問題へと至る。これらの生産工程における問題には商品を生産する際の機械的な問題や、また生産スピードを下げて生産設備を操作しなければいけないことも含まれる。セキュリティー・タグは、それが装着しているものの表面から突き出ている。これが組立て段階のアセンブリを高く積み重ねていく場合に、新たに上に重ねられたアセンブリとの間に徐々に勾配や傾きを生じさせる。例えば、梱包マシンを用いて組立てられるハードカバー書籍は、表カバーと裏カバーに取り付けられた外側ライナーを受け取る。このような組立て段階のアセンブリは第二の工程として梱包マシンにより内側ライナーを貼り付けられる。勾配を帯びたアセンブリの積み重ねは、生産工程での生産や取扱いをより困難にする。さらに、例えば、プロセッシングと内側ライナーの貼り付けのために、提供装置がホッパーからアセンブリを押し出すと、突き出たセキュリティー・タグが隣り合うアセンブリに傷を付けるかもしれない。
【０００７】
図書館等には、特に関心を起こさせる、隠されたセキュリティー装置の活用の場を提示する。図書館はその典型として、直ぐに持ち運びできる製品である、大量の書籍在庫を有している。専門書、貴重図書、及び同種の書籍は無許可の持ち出しに遭い易い。このような在庫の損失という問題を防ぐためにも、センサー識別性の装置を出口のドア付近に設置してある。該認識装置は該書籍内に設置されたセンサーと応答する。正規の貸し出し手続きを経た書籍については、前記センサーが作動できなくなっている。もし該センサーが前記認識装置に信号を送った場合には、警報が鳴ることとなる。しかしながら、このような図書館のセンサーと認識装置によるシステムは後付で設置され、前記センサーについても図書館において手作業で取り付けられる。該書籍はカバーにより保持されて広げられ、その背部分において隙間を空ける。前記隙間は典型として、前記書籍を形成する束ねられたページの背の縁部分と前記カバーとの間に形成される。専用の装置を用いて、前記隙間により規定される開口路に前記センサー装置を挿入する。前記センサー装置が設置されると、典型としては前記背の中央部であるが、前記書籍のカバーが共に閉じられ、前記道具が引き抜かれ、それによって前記セキュリティー装置が背の中に配置される。多くの場合、前記セキュリティー装置は書籍の背に取り付けるために、粘着性の表面を有している。カバー部分を開いてもこのような隙間を生じない書籍については、セキュリティー装置はいずれか一つのページに設置されなければならず、典型的には該書籍の中央部分に設置される。これは前記センサーを剥離され易くする。センサー装置の取り付けは多大な時間を要し、該センサー装置が所定位置にあるどうかを確認するため、定期的に該書籍を調べる必要がある。また、前記背の内部で、前記センサー装置の適切な配置や固定を確認することは困難である。
【０００８】
従って、当該技術分野において、隠されたトラッキングとモニタリングのセキュリティー装置を有するハードカバー製品、これらのハードカバー製品のための隠されたセキュリティー装置付き中間体のカバーボード、及び背の中に隠されたトラッキングとモニタリングのセキュリティー装置を持つハードカバー書籍に対する需要がある。本発明はこのような需要に対して向けられたものである。
【発明の開示】
【０００９】
発明の概要
A.ハードカバー製品とその製造方法
本発明は、一対のシート部材に対して主たる表面に取り付けられた外側ライナーを有するハードカバー製品を提供することにより、当該技術分野における前記需要に応えるものである。前記シート部材は間隔を空けて配置され、前記ハードカバー製品の表カバーと裏カバーを規定する。前記硬質シート部材の一つは、セキュリティー・タグを収容する収容区画を規定する。内側ライナーは前記一対のシート部材の上に重ねられ、前記収容区画内のセキュリティー・タグを隠す。前記一対のシート部材間の隙間と、相互に折り畳むように動く前記の向かい合う表カバーと裏カバーが、前記ハードカバー製品の背を規定する。
【００１０】
その他の側面として、本発明は、
(a)第一のシートに凹部を形成する工程と、
(b)該第一のシートの主たる表面と、該表面との間に間隙が規定されるように間隔を空けて配置された第二のシートに外側ライナーを取り付ける工程であって、前記第１のシートと第２のシートがそれぞれ前カバー及び裏カバーを規定する工程と、
(c)前記凹部にセキュリティー・タグを配置する工程と、
(d)前記第一のシートと前記第二のシートに重なる形で内側ライナーを取り付ける工程であって、前記間隙は、前記対向する前カバーと裏カバーが、該間隙上で互いに向かって回転する背を規定する工程
を含む該ハードカバー製品の製造方法を提供する。
【００１１】
B.ハードカバー製品のための、中間体のラミネートされたカバーボード、及びその製造
もう一つの局面として、本発明は、ハードカバー製品のための中間体のカバーボードであって、第一の厚さ、及び向かい合う平坦な表面を有する一次的なシートであって、該シートの選択された部分に収容空洞を規定するハードカバー製品のための中間体のカバーボードを提供することにより、当該技術分野における前記需要に応えるものである。前記収容空洞は、セキュリティー装置を収容する。それにより、前記カバーボードは、ハードカバー製品の生産段階で、カバーライナーにより上張りされることに適する。
【００１２】
本発明は、ハードカバー製品のためのラミネートされたカバーボードであって、第一の厚さ、及び向かい合う平坦な表面を有する一次的なシートであって、該シートの選択された部分に収容空洞を規定する一次的なシートであり、該空洞がセキュリティー装置を収容するラミネートされたカバーボードを提供する。それぞれが前記第一の厚さよりも薄い第二の厚さを有する一対の向かい合う二次的なシートが、前記一次的なシートの向かい合う平坦な表面にラミネートされている。これにより、前記セキュリティー装置は、該セキュリティー装置がそこに存在することの跡が、表面に現れることのない十分な前記第二の厚さを有するラミネートされた前記二次的なシートの間に封入される。
【００１３】
また、本発明は、後にハードカバー製品の構成要素として使用する、中間体のラミネートされたカバーボードを組立てる方法で、
(a)向かい合う平坦な表面を有し、第一の厚さを超える長さと幅を持つ一次的なシートで、該一次的なシートの選択された部分を貫通する開口部を規定する該一次的なシートを提供する工程と、
(b)第一の外部シートを、第一の該向かい合う平坦な表面にラミネートして、前記一次的なシートの前記開口部を閉じる工程と、
(c)セキュリティー装置であって、該中央シートの大部分における厚さを超えない厚さを有し、その向き合った側面が該中央シートの向き合った平坦な表面のそれぞれと実質的に同一平面の域を出ないようなセキュリティー装置を、該開口部に設置する工程と、
(d)第二の外部シートを、第二の向かい合う平坦な表面にラミネートし、中の該セキュリティー装置の存在を示す跡が該外部シートにより規定される前記向かい合う表面上に現れない中間体のラミネートされたボードを形成する工程、を含む中間体のラミネートされたカバーボードを組立てる方法を提供する。結果として得られる前記ラミネートされたカバーボードは、封入された前記セキュリティー装置の跡を表さずに、外側カバーと内側カバーを有するハードカバー製品のカバーボードとして有利に利用できる。
【００１４】
Ｃ.  隠されたセキュリティー装置を背に配置されたハードカバー製品
他の局面として、本発明は、外側ライナーと、一対のハードシート部材であって、該外側ライナーの主たる表面に取り付けられ、かつ間に背中部分を規定するように間隔をあけた形で配置されており、該外側ライナーの縁に沿って該一対のハードシート部材が相互に折り畳むように動くことができる該一対のハードシート部材とを含むハードカバー書籍製品提供することにより当該技術分野における前記需要に応えるものである。前記背部分内には、セキュリティー・タグが取り付けられ、また、前記ハードシート部材には、本体部分が取り付けられている。前記センサーは、遠隔認識装置と応答する前記セキュリティー・タグにより、前記ハードカバー製品のトラッキングを可能にする。
【００１５】
本発明の目的、優位性及びその技術的特徴は、添付した図面を参考にして、以下の発明の詳細な説明と請求の範囲を読めば明確となる。
【発明を実施するための最良の形態】
【００１６】
Ａ．ハードカバー製品と方法
これより、複数の図を通して同じ番号が同じ部分を示す図をさらに詳しく参照する。図１は外側ライナーの１２、間隔の空いた一対のシート１４、１６を有し、さらに内側ライナー１８で覆われた、ハードカバー製品１０を示す。前記外側ライナー１２と前記内側ライナー１８は、グラフィックス１７のように、グラフィックス、テキストや、視覚的装飾を含んでいてもよい。前記シート１４、１６（前記外側ライナー１２と前記内側ライナー１８に囲包されている）は、前記ハードカバー製品のための表カバーと裏カバーを規定する。間隔の空いた一対の溝、または折り線２０は前記シート１４、１６が相互に折り畳まれて、前記ハードカバー製品１０を閉じることを可能にする。前記刻み目２０の間にある隙間２２は、前記閉じることができるハードカバー製品１０の背、又は背面を形成する。セキュリティー・センサー２４は前記内側ライナー１８の表面の選択された箇所へ接着剤と共に取り付けられる。前記センサーは前記内側ライナー１８により規定される平面の上に伸びている。図２に示すように、これは前記ハードカバー製品１０の製造過程で、その取扱いと生産について問題へと至る可能性がある。前記上向きに伸びたセキュリティー・センサーは、製品の積み重ねの一部を水平ではなく、斜めに傾いた角２６を成すように配列してしまう原因と成る。この水平でない積み重ねは各過程での作業における取扱いをより困難なものにする。
【００１７】
図３は、前記外側ライナー１２、前記シート１４、１６及び前記内側ライナー１８を含むアセンブリ内部に前記セキュリティー・センサー２４が隠された、本発明のハードカバー製品３０を示す。図４は、図３に示すハードカバー製品アセンブリの分解端面図である。凹部３２は、梱包マシンを用いた典型的な書籍の製本のための梱包作業における、ダイカッティングなどにより前記シート１４に形成される。アプリケータ装置が前記セキュリティー・センサー２４を前記凹部３２に設置する。前記ハードカバー製品３０のためのアセンブリの外側では、前記外側ライナー１２によって前記凹部３２が閉じられ、反対の内側では、前記内側ライナー１８が該凹部３２を閉じる。したがって、前記内側ライナー１８により前記セキュリティー装置２４が前記ハードカバー製品３０内部に覆い隠される。
【００１８】
前記シート１４（図４において対峙する主たる表面の間を横断するライン３４で示される）の厚さについては、前記セキュリティー装置２４が前記凹部３２内あって、該主たる表面に対して凹みをつくる程度に十分であることが好ましい。前記シート１４、１６は、ボール紙のシート、繊維板のシート、または他の硬質シート材であり、書籍カバーや、ケース、又は他の商品の容器に適したものである。
【００１９】
図に示す具体例では、前記隙間２２は前記重なり合う内側ライナー１２と外側ライナー１８との間に、刻み目、又は溝を規定する。これらの刻み目や、溝は、前記表と裏カバーがその上で相互に折れ曲がる回転軸、または線を規定する。
【００２０】
図５は、本発明の別の具体例であるハードカバー製品５０を示す。この具体例では、実質的に平坦なラジオ周波数タグ５２が前記シート１４ａの表面に取り付けられている。前記内側ライナー１８が、前記シート１４、１６に対して上に重なるように取り付けられている。図に示される、前記凹部３２を有さない具体例では、前記内側ライナー１８は、前記背の領域上に伸びている。従って、前記内側ライナー１８は、前記シート状のセキュリティー・タグ５２を上に重なって、隠すように封入する。前記セキュリティー・タグ５２は僅かな膨らみとして認知できるが、前記内側ライナー上に描かれたグラフィックスやテキストの効果を損なうことはない。
【００２１】
図に示す前記具体例において、前記ハードカバー製品５０はコンパクトディスクやＤＶＤディスクを収容するように構成された、向かい合わせで噛み合わさってはめ込むプラスチック製ディスクホルダーのような内部本体に取り付けられる。しかしながら、前記内部本体は、書籍用に結合した紙の束であってもかまわない。前記ハードカバー製品用の前記内部本体を規定する、小さな商品、ビデオテープ、書籍、リング式バインダーや他の商品などをパッケージングするためのその他のシェル型装置も、前記内側の表カバーと裏カバーに有利に取り付けることができる。例として、図８Ａと８Ｂは、書籍として前記ハードカバー製品に取り付けるための、印刷物を含む紙シートの結合アセンブリ６１を示している。該結合アセンブリ６１は前記背２２に取り付けられる。図８Ａに示す具体例では、前記シート状のセキュリティー・タグ５２を用いるが、図８Ｂの具体例では前記セキュリティー・タグ２４を用いている。
【００２２】
図６は、前記外側ライナー１２が、バーコードや、その他の製品在庫番号のような表示物６２を含んでいる前記ハードカバー製品５０を示す。この具体例では、前記セキュリティー・タグ２４（あるいは前記シート１４上に取り付けられた前記セキュリティー・タグ５２）のための前記凹部３２が、前記表示物６２と実質的に同一直線上に配置されている。この方法により、セキュリティー・タグの検出装置は、前記ハードカバー製品３０が精算時にスキャンされる時に、前記セキュリティー・タグを作動できないようにして、警報を作動させることなく該製品を店舗外に持ち出すことができる。
【００２３】
図７は、三連リング式バインダーのアセンブリ７２を有する、別の具体例のハードカバー製品７０を示す。この具体例では、前記シート１４が、前記シート状のセキュリティー装置５２の一つを収容するが、他の具体例では、表カバー（又は裏カバー）を規定する該シートが前記凹部３２を含む。
【００２４】
図９は、上記にて論じた、本発明のハードカバー製品を生産するための組立てライン９０の模式図である。前記組立てライン９０は、前記ハードカバー製品の中間アセンブリのスタック９３を収容するサプライホッパー９２を含む。梱包マシン９４は、前記外と内側ライナーに挟まれて前記表と裏カバー体を規定するボール紙シートの余白を断裁する作業を行なう。前記梱包マシン９４（例えば、コルブス社製２３２型梱包マシン、又は類似の設備）は、前記凹部３２を細長く切断するためのダイカッター９５が付いた回転可能なシリンダー９１を有する。前記ハードカバー製品の中間アセンブリは前記シート１４、１６に取り付けられた前記外側ライナー１２を含む。ラベルアプリケータ９６（例えば、ＬＡＢＥＬＡＩＲＥ、又は類似の装置）が前記セキュリティー・タグ２４の供給を受け取り、それらを個別に前記凹部３２内、又は前記シート１４上（シート状のセキュリティー・タグの場合）に配置する。生産の第一工程での前記組立てラインの操業では、前記内側ライナー１８を取り付けるために、後で前記ホッパーへと戻される中間アセンブリが作製される。
【００２５】
前記組立てライン９０は更に、前記外側ライナー１２とは反対側の前記シート１４、１６の主たる表面に上になるように前記内側ライナー１８の取り付けを行なう、内側ライナーアプリケーションステーション９７を含む。接着ステーション９８は、選択された接着剤１０１を前記内側ライナー１８に塗布する接着剤アプリケータ１００を含む。ケーシングアプリケータ１０２は、前記はめ合わせ式シェル５４、５６のような内部本体またはケース１０３を複数個保持するサプライホッパー１０４を含む。メータリング装置１０６が、前記ケース１０３の一つを前記背２２に配置する働きをする。向かい合うプラウ１０８が、前記向かい合う表と裏カバーが相互に旋回して前記ハードカバー製品を折り畳んで閉じるように、該表カバーと裏カバーを誘導する。ローラー１１０は、前記ハードカバー製品を閉じるように前記向かい合うカバーを押さえつけ、前記ケース１０３をはめ合わせて前記接着剤と接着させる。そして次に、前記の完成して、閉じられたハードカバー製品は、梱包のためにスタッカー１１２に収容される。
【００２６】
従って、一つの具体例としての前記製造過程は：（ａ）ハードカバー製品のラッピングや紙面を上に貼り合わすに先立って、前記折り返し、又はペーパーラインされた製品のボードに、ダイカッティングにより開口部を形成する工程と；（ｂ）該ボード表面に前記印刷されたカバー材を上に貼り合せる、又は取り付ける工程と；（ｃ）セキュリティー・センサー・バーを前記ダイカッティングにより形成された開口部に設置する工程と；（ｄ）該ボードの露出した側面を、印刷され、又は、されていないシート材の内側ライナーでライニングする工程、の各工程含む。この過程は、前記カバーや、前記内側ライナー上の印刷や印刷されたものを覆い隠すことなく、前記ダイカッティングにより形成した開口部や空洞部に、前記セキュリティー・バー又は装置を設置することができ、製造上の機械的問題を減らして、結果としてコストを節約し、パッケージや商品自体を傷つけることなく該セキュリティー・タグを取り外すことをより困難にし、前記ハードカバー製品の前記ボード上のいかなる位置にも該セキュリティー・バーを設置することを可能とする。
【００２７】
ＲＦＩＤセキュリティー・ステッカーに関しては、本発明は、ハードカバー製品に用いるカバーのケース作成の前後、そして、該カバー製品を印刷されたカバーストックで上張りする前に、該ボード上の選択された箇所に該シート状のＲＦＩＤステッカーを設置することで、完全に該ＲＦＩＤセキュリティー・ステッカーを隠す方法と装置を提供し、それによって、競合製品に比べて低い視認性を有するように該ＲＩＦＤステッカーを隠す。前記ＲＦＩＤセキュリティー装置は、該製品内部に設置されることで、印刷や飾りの付いた製品を覆い隠すことなく、表面上の視認性を少なくする。製造上の問題も、結果として生じるコスト節約により減少する。前記隠されたセキュリティー装置は前記製品やパーケージ自体を相当に傷付けずに取り外すことが困難になる。
【００２８】
Ｂ．ハードカバー製品用の中間体のラミネートされたカバーボードとその製造。
上記のハードカバー製品１０は、前記閉じられて隠されたセキュリティー・センサー２４を提供するものであるが、前記外側ライナー１２と前記内側ライナー１８はその外部表面に、その中にある該セキュリティー・センサーの存在を示す跡を含みやすい。これらの跡は、前記外側ライナー１２や前記内側ライナー１８の前記凹部３２の周辺に生じる僅かな凹み、又は該凹部周辺の僅かなふくらみ部分として、該凹部の縁により微妙ではあるが気付いてしまう程の周辺表面との境界線を規定する。本発明は、図１０に描かれるように、別の局面として、前記セキュリティー・センサー又は装置３２が、中間体のラミネートされたカバーボード１２０から組立てたハードカバー製品１２２に封入されており、該センサーの存在を示す印が表面に現れない該中間体のラミネートされたカバーボード１２０を提供する。前記ハードカバー製品１２２は、前記外側ライナー１２、カバーボード１２４、そこから間隔を空けて配置された前記中間体のラミネートされたカバーボード１２０、及び前記内側ライナー１８を含む。前記カバーボード１２４と、前記外側ライナー１２及び前記内側ライナー１８により上張りされた前記中間体のラミネートされたカバーボード１２０は、書籍、バインダー、ディスク用包装物、又は類似の内部本体を有する製品である前記ハードカバー製品のための表カバー及び裏カバーを規定する。前記間隔の空いたカバーボード１２４と前記中間体のラミネートされたカバーボード１２０との間の隙間は、背であって、該背が規定する刻み目に沿って該向かい合うカバーボードが折り畳んで閉じる前記ハードカバー製品１２２の背を規定する。
【００２９】
図１１及び図１２を参照すると、前記中間体のラミネートされたカバーボード１２０（図１１、図１２においてそれぞれ切欠き斜視図、及び分解斜視図で示す）は、ハードカバー製品１２２の組立てに有益に用いられる。前記中間体のラミネートされたカバーボード１２０は、第一の厚さ１３６を超える長さと幅を持ち、向かい合う平坦な表面１３２、１３４を含む、一次的な、又は中央シート１３０を有する。さらに、前記中央シート１３０は、該中央シートを貫通する開口部１３８を規定する。前記開口部１３８は、突出したダイスが付いたローラーであり、前記カバーボードがコンベア上の該ローラー部を通過する時に、該ダイスが該カバーボードにのしかかるようなダイカッターにより形成される。前記開口部１３８は前記カバーボードの選択された箇所に形成され、それによって、特に、前記外側ライナー１２は、例えば店舗の精算レジで用いるスキャナーといった、セキュリティー解除装置を前記選択された箇所へと導くバーコードのような表示物で印刷することができる。
【００３０】
前記セキュリティー装置３２は前記開口部１３８に収容される。図に示した具体例では、図１０中の線１３−１３上での断面図として図１３に最もよく示されるように、前記中央シートの前記向かい合う平坦な表面１３２、１３４のそれぞれにおいて、前記セキュリティー装置３２の両側面が実質的に同一平面を成すように、該セキュリティー装置３２の厚さが実質的に該中央シート１３０の大部分の厚さを超えない。
【００３１】
二つの向かい合う外部シート１４２、１４４は、前記中央シート１３０の向かい合う平坦な表面１３２、１３４のそれぞれと、接着剤を用いてラミネーションにより接着する。前記外部シート１４２、１４４のそれぞれは、第一の厚さ１３６よりも薄い、第二の厚さを有する。これにより、前記外部シート１４２、１４４は、該外部シートに挟まれたかたちで前記開口部１３８内部にある前記セキュリティー装置３２を封入する。前記外部シート１４２、１４４の厚さは、前記中間体のラミネートされたカバーボード１２０の表面に前記セキュリティー装置３２の存在を示す跡が現れないような、十分な寸法である。したがって、前記中央シート１３０に封入される前記セキュリティー装置３２は、その存在の表面的な跡から隠される。
【００３２】
前記中央ボード１３０は、前記外部ボード１４２、１４４と同様にして、書籍、ノートパッドの背表紙やその他の類似製品に用いられるカバーボードに用いされるチップボード、ペースト状チップボード、ボール紙、灰色の繊維板やその他の類似材料のような半硬質のシート材から作られる。
【００３３】
図１１乃至１３を参照すると、前記中央ボード１３０と前記外部ボード１４２、１４４は協働して、次にハードカバー製品の構成要素として用いられる前記ラミネートボード１２０を作り出す中間体を構成する。該中央シート１３０は、ダイカッターなどにより選択された箇所で前記向かい合う表面を貫通する前記開口部１３８を有する形で提供される。そして次に前記外部シート１４４が接着剤を用いて前記平坦な表面１３４にラミネートされる。これにより前記開口部１３８の一方の側が塞がれる。前記セキュリティー装置３２は前記開口部１３８の中に設置される。図１３に示すように、前記セキュリティー装置３２は、前記中央シート１３０の向かい合う平坦な表面１３２、１３４と実質的に同一平面を超えないように、該中央シートの大部分の厚さよりも薄い厚さを有することが好ましい。前記第二の外部シート１４２は、前記セキュリティー装置３２を封入するために前記平坦な表面１３２にラミネートされ、中間体のラミネートされたボード１３０であって、該ボード内にある該セキュリティー装置３２の存在を示す跡が、該外部シートが規定する前記向かい合う表面に現れない、該中間体のラミネートされたボード１３０を形成する。
【００３４】
例として、前記中央ボード１３０は、長さ7.5インチ、幅5.75インチ、そして厚さ0.060インチを有する。前記開口部１３８は前記中央ボードの上部から1インチの位置で開口され、横方向の中央に位置する。市販で手に入るタイプのセキュリティー装置は約0.056インチの厚さを有する。前記外部ボード１４２、１４４は長さと幅において前記中央ボードと一致しており、約0.010インチの厚さを有する。別の具体例では、約0.020インチの厚さを有する一枚の外部ボードを用いることで、一方の表面がむき出しの状態にある前記中央ボード130が挙げられ、この発明の具体例の方が安価であるかもしれない。その他の具体例については、ハードカバー製品を作製する技術分野における通常の知識を有するものには自明である。
【００３５】
図１０を参照すると、前記中間体のラミネートされたカバーボード１３０は、前述した通り、前記セキュリティー装置３２が、その存在を示す跡が表面から観察されない状態で封入された、前記折り畳み可能なハードカバー製品１２２を形成するよう、前記カバーボード１２４、前記外側ライナー１２、そして前記内側ライナー１８と共に、直ぐに組立てられる。
【００３６】
図１４は、別の具体例としての、前記平坦なラジオ周波数タグ５２のようなシート状のセキュリティー装置を用いて、該セキュリティー装置の存在を示す跡が表面に現れない、中間体のラミネートされたカバーボード１５０の切欠き斜視図を示す。図１５は、浅い凹部１５４を規定する前記中間体のラミネートされたカバーボード１５０の分解断面側面図を示す。前記凹部１５４は底面を有しており、前記カバーボードにデボス加工することで形成される。前記凹部１５４は、前記カバーボード１５２が突起を有するローラーとプレッシャープレートの間を通過し、該凹部１５４を形成するように、突起が該カバーボードの選択された箇所を圧縮することにより形成される。その後、前記凹部１５４は、前記平坦なラジオ周波数タグ５２の一つを収容する。前記デボス加工による凹部１５４の深さは、殆ど前記ラジオ周波数タグ５２に厚さと同じであるが、しかし、一般的に十分に圧縮されているために該ラジオ周波数タグ５２の外側表面は、前記カバーボード１５２の該凹部周辺の表面と比べて同一平面を成すか、又は凹んでいる。ライナーボード１５６が、前記ラジオ周波数タグ５２に対して上に重なる形で接着剤により装着され、たとえ該ラミネート構造内に該セキュリティー装置の存在をしめす跡が外側表面に現れるにしても殆ど見えないように、該凹部内にあるラジオ周波数タグ５２を封入する。図１５に関しては、前記セキュリティー・センサー（ラジオ周波数タグ５２）が、カバー１２と内側ライナー１８の取り付けられる前に、完全に隠されていることが好ましい。前記中間体カバーボード１５０が、前記カバー１２とライナー１８含むバインダーの取り付けのために、前記ラミネートされたカバーライナー１５６が装着されていない状態で、ハードカバー製品（書籍バインダーのような）の生産者に提供される場合もある。前記凹部１５４を有するこの別の具体例では、前記カバー１２の取り付け後は、前記セキュリティー・タグの跡が殆ど表面に出ないようにすることができる。
【００３７】
図１６は、コンビネーション・セキュリティー装置１６６を収容する、別の具体例である中間体カバーボード１６０の分解斜視図を示す。前記カバーボード１６０は溝孔１６２と、その隣の凹部１６４を規定する。前記溝孔１６２は、前記カバーボード１６０を貫通するダイカットであるが、前記凹部１６４は、上述したのと同様に、そこにデボス加工されたものである。前記コンビネーション・セキュリティー装置１６６は、音式磁気セキュリティー・バー１７０と平坦なラジオ周波数タグ１７２を具備するバッキングシート１６８を含む。前記コンビネーション・セキュリティー・タグ１６６の周辺部分は接着剤コーティング１７３を含有する。
【００３８】
例示することを目的として、図１６では、前記セキュリティー・バー１７０と前記平坦なラジオ周波数タグ１７２が付いた前記コンビネーション・セキュリティー・タグ１６６は、前記カバーボード１６０から離れた方向に配置されている。設置された状態では、前記コンビネーション・セキュリティー・タグ１６６は前記カバーボード１６０に向いて配置され、セキュリティー・バー１７０は前記溝孔１６２に、平坦なシート状のラジオ周波数タグ１７２は前記凹部１６４にそれぞれ配置される。前記周辺部の接着剤コーティング１７３は、前記コンビネーション・セキュリティー・タグ１６６を適切な位置へ固定する。図示されてはいないが、図１１と１２を参照すると、カバーライナー１４２を前記カバーボード１６０にラミネートすることで、前記コンビネーション・セキュリティー・タグ１６６を封入し得ること、さらに別の具体例でも、一対の向かい合うカバーボード１４２、１４４を、前記カバーボード１６０の向かい合う表面にラミネートすることができることがわかる。図１６に示す具体例は、このようなセキュリティー装置のうちどちらか一方、又は両方を有する施設（例えば店舗や、図書館のような）にて有益に使用される。前記セキュリティー装置１６６を含む前記中間体のカバーボード１６０は、カバーライナー１２と内側ライナー１８を取り付けるため、ハードカバー製品の生産者に提供される。結果として作られるハードカバー製品は、隠して封入したセキュリティー装置の存在を示す表面の跡が小さくなったものや、又は、前記カバーライナー１４２、１４４付きでは、前記封入されたセキュリティー装置を示す跡が全く観察できない製品となる。ハードカバー製品の生産者は、前記カバーライナー１４２、１４４を有するものか、前記単一層含む中間体のカバーボードかを選択できる。
【００３９】
図１７は、少なくともボードストック材３２２、３２４の二層のレイヤー含む、ラミネートされた多層ボード３２０であって、前記セキュリティー装置５２を該ラミネートボードで挟み、該セキュリティー装置５２の位置に配列された表示マーク３２６を含む、本発明の該多層ボード３２０の切欠き斜視図である。前記ボード３２０は前記セキュリティー装置２４を含む場合もあるが、該ラミネートされた多層ボードにおいては前記シート状のセキュリティー装置５２を用いることが好ましい。前記ボード３２０は、上述したようなハードカバー製品の組立てに便利な中間の製品を提供する。例えば、前記外部カバーシート１２の前記表示６２の位置に合わせて前記ボード３２０を適切に方向付ける場合など、その後の書籍を梱包する生産工程の間、前記中間の製品を梱包マシンや他の装置に並べるため、該ボード３２０は前記表示マーク３２６を前記レイヤー３２２の外側表面に含む。一つの具体例では、前記ボードレイヤー３２２、３２４は、書籍の製本作業に一般的に用いられている、実質的に８０ポイントボードを形成するように接着剤を用いて貼り合せられる４０ポイントのチップボードである。
【００４０】
図１８は、図１７に示すラミネートされた多層ボード３２０を作製する生産工程の略図である。サプライロール３３０は、前記第一のレイヤー３２２の連続的な供給を提供する。アプリケータ３３２は、前記セキュリティー装置５２をサプライ３３３から前記レイヤー３２２の表面に取り付け、一方、マーカー３３４は該レイヤー３２２の反対の面に前記表示マーク３２６を取り付ける。該セキュリティー装置は、例示の目的のために強調された寸法で描かれている。前記マーカー３３４は、前記アプリケータ３３２が前記セキュリティー装置を取り付けるに従い、後寄りの位置からマーキング位置へと移動する。接着剤スプレー３３６はサプライ３３８と連通し、前記レイヤー３２２の表面に接着剤を吹きつける。第二のサプライロール３４０は、適切なガイドロール３４２を通過した前記第二のレイヤー３２４の連続的な供給を提供する。クリンプローラー３４４、３４６は、前記セキュリティー装置を挟むように、前記第一と第二のレイヤー３２２、３２４を共に圧縮する。ナイフ３４８は、鉄床３５０に対して周期的に移動して前記連続的な供給から個別にラミネートボード３２０を切離す。スタッカー３５２は、パッケージングや梱包ラインに運搬するために、前記切離されたボード３２０を回収する。
【００４１】
C．背に配置された、隠されたセキュリティー装置を有するハードカバー製品
図１９は、前記間隔の空いたハードカバーシート１４、１６と一体の外側ライナー１２を有するハードカバー書籍２３０の分解斜視図である。前記外側ライナー１２周囲の縁の部分は、前記シート１４、１６外側の縁の部分と重なっている。前記シート１４、１６は空間を隔てて、前記外側ライナー１２の内側の面に取り付けられている。これが背２３２、又はハードカバー書籍２３０の背面となる、前記隙間２２を規定する。前記セキュリティー・センサー２４は、前記背部分２３２の選択された箇所内の前記内側ライナー表面に接着剤で取り付けられる。書籍のための印刷されたページ２３６が結合したアセンブリによって作られる書籍ブロック２３４は、前記書籍２３０の前記背２２と前記カバー１４、１６に従来通りに取り付けられる。前記書籍ブロック又は本体２３４は、複数のページ２３６を含み、該書籍ブロック２３４の背又は背面を規定する背面部分２３８に、一体となって従来通りに取り付けられる。
【００４２】
書籍２３０を背面から見た斜視部分切り取り図を示す図１９Aを参照すると、前記表カバー１２は事前に印刷されたバーコード２４０を含む。前記センサー装置２４は、前記バーコード２４０と反対側の配置で前記背１３２に装着される。これが、図書館でその書庫のトラッキングのための使用に加えて、精算箇所でのレジやチェックアウト箇所において、前記セキュリティー装置の不作動化と同時に在庫管理のために前記バーコードを読むプライシングスキャナー/センサー不作動化の装置を使用することを容易にする。
【００４３】
図１９に描かれる具体例では、前記センサー装置２４は前記外部カバー１２の内側の表面に取り付けられている。図２０は、第二の具体例であるハードカバー書籍２４６の斜視図である。この具体例において、前記背２２は、背中部材２４８と同様にして、前記間隔の空いたハードカバーシート１４、１６により規定される。前記背中部材２４８は、前記ハードカバーシート１４、１６の隣り合う縁に対して隙間２５０、２５２を規定し、該ハードカバーを相互に向かって折り畳むことで書籍１４６を閉じる。前記セキュリティー装置２４は、前記背中部材２４８に取り付けられる。別の具体例では、前記背中部材２４８が、前記セキュリティー装置２４を収容するために、前記シート１４に形成された前記凹部３２のような凹部を含むことが好ましい。
【００４４】
図２１は、第三の具体例であるハードカバー書籍２６０の背面からの斜視部分切り取り図であり、前記書籍本体が前記背２３２に取り付けられるに先立って、十分に平坦なラジオ周波数タグ５２が、前記書籍ブロック２３４の前記背２３８に取り付けられる図である。
【００４５】
図１９−２１を参照すると、前記ハードカバー製品２３０、２４６及び２６０はそれぞれ、背部分の内部に、前記セキュリティー・センサー２４、前記ラジオ周波数タグ５２、または他の類似する遠隔認識センサー等のセキュリティー装置を隠して保持する背中部分を有する。これらの具体例に例示されるように、前記セキュリティー装置は、前記書籍ブロック２３４の前記背面２３８と向かい合わせる前記背２３２の内側表面の上、前記背中部材２４８の上（又はその中の凹部内に）、又は前記書籍ブロック２３４の前記背面２３８の上に、簡単に配置される。生産ラインの適切な部分において、ラベルを配置する装置を加えることで、前記ハードカバー製品は、従来の書籍装丁プロセスに従って簡単に作成される。図１９と２０に描かれる具体例では、前記ハードカバー製品用の前記カバーを組立てる生産ラインにおける前記のラベルを配置する装置が提供されている。図１９に描かれる具体例は、従来式の梱包のラインにおいて、前記書籍本体を前記カバーに取り付ける工程で、前記セキュリティー装置を該書籍本体の前記背面２３８に取り付ける例を提供する。
【００４６】
ライン上での梱包作業は前記書籍本体を、典型的に接着剤を用いて前記カバーに固定することを伴う。梱包ラインのベルトコンベアーは、前記書籍ブロックを、その背が上を向いて配置された状態で運搬する。繊維板、又はクラフト紙のライナーを前記背の上に取り付けるため、ローラーは、前記書籍ブロックの最初と最後のページのシートと背面に接着剤を塗布する。図２１に示す具体例では、前記ラベル取り付け装置は、前記背の上に前記繊維板のライナーが取り付けられる前後を選択して、セキュリティー装置を前記背面に取り付ける。前記カバーが、前記書籍ブロック２３４の上に重ねられ、前記背２２が該カバーを該書籍ブロックに対して適切な位置に保持する。前記表及び裏カバーは、前記シート１４、１６の内側表面にある接着剤と接触する位置に移動する。ヒートプレッシャー板を有する取り付け装置は、前記カバーと前記書籍ブロックのアセンブリを挟んで、接着剤が硬化するように前記書籍の前と後を閉じる。前記組立てられた書籍製品は積み上げられ、出荷と保管のためにパッケージングされる。
【００４７】
本明細書は、隠されたセキュリティー装置と一体化したハードカバー製品、その中間体のラミネートされたカバーボード、及びこのような隠されたセキュリティー装置と一体化したハードカバー製品を作製する有用な方法、及び種々の具体例を作製し使用するために必要な工程を含んだ、背中部内に隠されたセキュリティー装置と一体化したハードカバー製品を提供する本発明を記載する。しかしながら、本発明の概念と視野の範囲内で、本ハードカバー製品の構造に種々の変更や変形が可能であり、また、添付のクレーム内で説明される本発明の範囲から離れることなしに、本発明に修飾や変更が可能であることが理解されるであろう。
【図面の簡単な説明】
【００４８】
A.ハードカバー製品とその製造方法
【図１】外側表面にセキュリティー装置が装着されたハードカバー製品の平面図
【図２】図１に示すハードカバー製品の作製に用いるアセンブリの積み重ねの端面図
【図３】本発明の具体例である隠されたセキュリティー装置付きハードカバー製品の平面図
【図４】図３に示すハードカバー製品のアセンブリの分解断面図
【図５】本発明の、別の具体例であるハードカバー製品の平面図
【図６】本発明の特徴を示すハードカバー製品の斜視図
【図７】本発明の、別の具体例であるハードカバー製品の斜視図
【図８Ａ】書籍用の紙の束であるアセンブリが付属したハードカバー製品の分解斜視図
【図８Ｂ】書籍用の紙の束であるアセンブリが付属したハードカバー製品の分解斜視図
【図９】本発明のハードカバー製品を作製するためのアセンブリラインを示す略図B.ハードカバー製品のための、中間体のラミネートされたカバーボード、及びその製造
【図１０】本発明の、ハードカバー製品であって、セキュリティー装置が封入された中間体のラミネートされたカバーボードを有する該ハードカバー製品の平面図
【図１１】図１０に示す中間体のラミネートされたカバーボードの切欠き斜視図
【図１２】図１０に示す中間体のラミネートされたカバーボードの分解斜視図
【図１３】図１０に示す中間体のラミネートされたカバーボードを番号13で表す線で切断した断面図
【図１４】本発明の、中間体のラミネートされたカバーボードの別の具体例であって、シート型セキュリティー装置を用いたカバーボードの斜視図
【図１５】図１４に示す別の具体例である中間体のラミネートされたカバーボードの断面図
【図１６】本発明の、別の具体例である中間体のラミネートされたカバーボードであって、一対のセキュリティー装置の組合わせに特徴があるカバーボードの分解斜視図
【図１７】本発明の、多層式のラミネートされたボードであって、該ボードの間に挟まれたセキュリティー装置を有する該多層式のラミネートされたボードの切欠き斜視図と、該セキュリティー装置の位置を示す印
【図１８】図１７に示す多層式のラミネートされたボードの生産工程を表す略図Ｃ．隠されたセキュリティー装置が背中部に配置されたハードカバー製品
【図１９】本発明の、背部分の中にセキュリティー装置を有するハートカバー書籍の分解斜視図
【図１９Ａ】図１９に示すハードカバー書籍を背面斜視部分切り取り図
【図２０】本発明の、第二の具体例である背部分の中にセキュリティー装置を有するハートカバー書籍のの分解斜視図
【図２１】本発明の、第三の具体例である背部分の中にセキュリティー装置を有するハートカバー書籍の斜視切り取り背面図
【図１】
2007534522.tif 000003
【図２】
2007534522.tif 000004
【図３】
2007534522.tif 000005
【図４】
2007534522.tif 000006
【図５】
2007534522.tif 000007
【図６】
2007534522.tif 000008
【図７】
2007534522.tif 000009
【図８Ａ】
2007534522.tif 000010
【図８Ｂ】
2007534522.tif 000011
【図９】
2007534522.tif 000012
【図１０】
2007534522.tif 000013
【図１１】
2007534522.tif 000014
【図１２】
2007534522.tif 000015
【図１３】
2007534522.tif 000016
【図１４】
2007534522.tif 000017
【図１５】
2007534522.tif 000018
【図１６】
2007534522.tif 000019
【図１７】
2007534522.tif 000020
【図１８】
2007534522.tif 000021
【図１９】
2007534522.tif 000022
【図１９Ａ】
2007534522.tif 000023
【図２０】
2007534522.tif 000024
【図２１】
2007534522.tif 000025
【国際調査報告】
2007534522.tif 000026
2007534522.tif 000027
2007534522.tif 000028